(57)【要約】【課題】  不審者の侵入を有効に防止することができ、コストも安い二重ドアシステムを提供すること。【解決手段】  本発明に係る二重ドアシステムは、建物と外部との出入が可能な第１の扉と、前記第１の扉の外部に、前記建物の側壁と協働して、前記第１の扉を囲繞して、閉鎖空間を形成する周壁と、前記周壁に設けられ、前記閉鎖空間と外部との出入りが可能で、且つ、外部から前記閉鎖空間内を透視できる第２の扉と、前記閉鎖空間内に配設され、前記第１の扉の前の人物を映す鏡とを備える。【選択図】      図１
2005128641.tif 000002
【特許請求の範囲】
【請求項１】
建物と外部との出入が可能な第１の扉と、
前記第１の扉の外部に、前記建物の側壁と協働して、前記第１の扉を囲繞して、閉鎖空間を形成する周壁と、
前記周壁に設けられ、前記閉鎖空間と外部との出入りが可能で、且つ、外部から前記閉鎖空間内を透視できる第２の扉と、
前記閉鎖空間内に配設され、前記第１の扉の前の人物を映す鏡と
を備えることを特徴とする二重ドアシステム。
【請求項２】
前記閉鎖空間には、
前記第１の扉の前の人物を照明する照明器具を設けたことを特徴とする、請求項１に記載の二重ドアシステム。
【請求項３】
前記照明器具は、
前記第２の扉に人が触れることにより点灯することを特徴とする、請求項２に記載の二重ドアシステム。
【請求項４】
前記閉鎖空間には、
前記第１の扉及び第２の扉の前の人物を撮像するモニタテレビカメラが設けられていることを特徴とする、請求項１乃至３のいずれかに記載の二重ドアシステム。
【請求項５】
前記第２の扉は、
オートロックシステムにより、前記第２の扉が閉まると自動的に前記第２の扉を施錠することを特徴とする、請求項１乃至４のいずれかに記載の二重ドアシステム。
【請求項６】
前記閉鎖空間の外側であって、前記第２の扉の近傍に、前記建物内にいる人と通話することのできるインターホンを備えることを特徴とする、請求項１乃至５のいずれかに記載の二重ドアシステム。
【発明の詳細な説明】
【技術分野】
【０００１】
本発明は、不審者の侵入を防止するために有効な二重ドアシステムに関する。
【背景技術】
【０００２】
近年、空き巣等不審者が住宅や事務所等に侵入する事件が多発してきている。多くは、一般の住宅等比較的侵入しやすい建物の入口のドアの鍵をこじ開けて侵入するものである。或いは、配達人等を装ってドアを開けさせ、応対に出た人を脅かして金品を奪うようなケースもある。
このような犯罪を防ぐ手段として、ドアの鍵の二重化、鍵の閉め忘れを防止するためのオートロック、ドアに設置される覗き穴やモニタテレビカメラ、インターホン、或いは、専門の警備保障会社による侵入通知システム等が開発されてきている。
【発明の開示】
【発明が解決しようとする課題】
【０００３】
しかしながら、上記のような犯罪は、近年ますます巧妙となり、例えば、ピッキングとも呼ばれる、ドアの鍵をこじ開ける手段によれば、数分以内の短時間でドアの鍵をこじ開けることができるといわれている。このような手段に対しては、ドアの鍵の二重化を行っても、不審者の侵入を防止することは困難である。また、留守宅を狙うこのような犯罪に対しては、ドアの覗き穴、モニタテレビ、或いはインタホンでは対処することができない。
【０００４】
また、専門の警備保障会社による侵入通知システムは、上記の犯罪防止に有効ではあるが、コストがかかり必ずしも一般的であるとはいえない。
上記の事情を考慮し、本発明においては、不審者の侵入を有効に防止することができ、コストも安い二重ドアシステムを提供することを目的とする。
【課題を解決するための手段】
【０００５】
上記目的を達成するため、請求項１の発明によっては、建物と外部との出入が可能な第１の扉と、前記第１の扉の外部に、前記建物の側壁と協働して、前記第１の扉を囲繞して、閉鎖空間を形成する周壁と、前記周壁に設けられ、前記閉鎖空間と外部との出入りが可能で、且つ、外部から前記閉鎖空間内を透視できる第２の扉と、前記閉鎖空間内に配設され、前記第１の扉の前の人物を映す鏡とを備えることを特徴とする二重ドアシステムが提供される。
【０００６】
また、前記閉鎖空間には、第１の扉の前の人を照明する照明器具を備えていてもよく（請求項２）、該照明器具は、第２の扉に人が触れることにより点灯することとしてもよい（請求項３）。さらに、前記閉鎖空間は、第１及び第２の扉の前に立つ人物を映すことのできるモニタテレビカメラを備えていてもよい（請求項４）。
さらに、オートロックシステムにより、第２の扉が閉まると自動的に第２の扉を施錠することとしてもよい（請求項５）。
【０００７】
また、建物内にいる人と外部にいる人との間で通話のできるインターホンを備えていてもよい（請求項６）。
【発明の効果】
【０００８】
本発明の二重ドアシステムによれば、建物等に侵入しようとする者は、衆人に見られる危険をおかして、第２及び第１の扉を順次こじ開けるという２度手間をかけなければならず、非常な心理的負担となり、侵入を防止することが可能になる。更に、不審者は、数分以内では第２及び第１の各扉の鍵をそれぞれ開錠することは困難であり、建物等に侵入することを有効に防止することができる。
【０００９】
さらに、第１の扉をこじ開けようとする不審者は、閉鎖空間内に設けられた鏡に映った自らの姿を常に見ることになり、心理的な圧迫を受け、侵入を躊躇するような心理的抑止効果を大きくすることができる。
さらに、照明器具により、閉鎖空間内にいる人を外部から見やすくなり、或いは、モニタテレビカメラにより建物外部にいる人を屋内から確認するとともに、撮影した映像を記録として残すことができ、不審者に対する心理的抑止効果を増大させ、侵入を未然に防止することができる。
【発明を実施するための最良の形態】
【００１０】
以下、本発明の二重ドアシステムにかかる一実施形態を、図面を参照しつつ説明する。
図１は、一般の一戸建住宅に、本発明の二重ドアシステムを適用した場合の概略構成を示し、住宅（以下「建物１」という）の玄関２のある角部を四角状に凹ませて、ポーチ３が設けられている。
ポーチ３は、建物１の側壁４ａ、４ｂ、及びこれらの側壁４ａ、４ｂと対向する壁４ｃ、４ｄからなる周壁４に囲まれて、二重ドアシステム５の閉鎖空間６が形成されている。なお、壁４ｄ及び建物の側壁７は二点鎖線で描いてある。壁４ｃ、４ｄは、材質や仕様等を特に限定するものではないが、好ましくは、ガラス張り、メッシュ或いは格子構造として、外部から閉鎖空間６の内部を見通すことができることが望ましい。なお、本実施例では、壁４ｃ、４ｄは透視することができない構造とされている。
【００１１】
玄関２の扉（第１の扉）１１は、側壁４ａに設けられており、側壁４ｂには鏡１３が設けられている。扉１１は、施錠部１１ａを有する普通のドアであり、その仕様や機能を特に限定するものではない。この扉１１は、鏡１３の配置から、当該扉１１を少し開けただけで鏡１３を見通すことができるように設けられている。例えば、図１の場合では、閉鎖空間６から玄関２方向に向かって左側に鏡１３が設けられているので、扉１１は左側に開くように設定されている。
【００１２】
なお、施錠部１１ａは普通の鍵でもよいが、鍵の閉め忘れを防止するために、オートロックとしてもよい。
扉１１と対向する壁４ｃには外扉（第２の扉）１２が設けられている。この外扉１２は、施錠部１２ａを有するとともに、ガラス張り、格子又はメッシュ等の構造とされている。本実施形態では、格子構造とされている。このため、外扉１２を透視して、外部から閉鎖空間６の内部を見通すことができる。
【００１３】
尚、外扉１２は、開扉後、手を離すと自動的に閉まる構造でもよく、鍵の閉め忘れを防止するため、施錠部１２ａは、オートロックシステムであってもよい。また、上記オートロックは玄関２側からも開錠できるように構成することにより、普通の来訪者があった場合に、わざわざ、扉１１を開けて閉鎖空間６まで出て、外扉１２を開ける手間を省くことができる。
【００１４】
鏡１３は、ａ．扉１１の前に立ち、或いはかがんだ人の姿を自らが見えること、ｂ．外扉１２を通して、外部から鏡１３により閉鎖空間６内のなるべく広い範囲、特に扉１１の前の人を見ることができること、ｃ．玄関２にいる人が、扉１１を少し開けただけで鏡１３により閉鎖空間６内のなるべく広い範囲、特に外扉１２の前の人を見ることができること等、を考慮して設定されている。照明器具１４は、例えば鏡１３の上方に、閉鎖空間６内のなるべく広い範囲を照らすことができるように設置されている。なお、鏡１３と照明器具１４等は、特に限定するものではなく、通常の鏡と、蛍光灯等でもよい。照明器具１４は、外扉１２に設置されたタッチセンサー（図示せず）により点灯制御されるようにして、人が外扉１２に触れると点灯するようになっている。なお、該タッチセンサーは、玄関２の内部に設置されているチャイム（図示せず）のスイッチと兼用され、屋内にいる人に来訪者がいることを知らせるようになっている。
【００１５】
また、側壁４ａの側壁４ｂよりの上部に、モニタテレビカメラ１５が配設されている。このテレビカメラ１５は、閉鎖空間６内のなるべく広い範囲、特に扉１１の前の人を玄関２内に設置されたモニタ１５ａに映し出すとともにその映像を記録するようになっている。また、玄関２内には、テレビカメラ１５のコントローラ１５ｂが設置されている。このテレビカメラ１５は、コントローラ１５ｂにより玄関２の中から撮影の開始・停止、左右上下の首振りによる撮影場所の調整、ズーム撮影等を行うことができるようになっている。また、外扉１２が開くと自動的に外扉１２にテレビカメラ１５の方向を向けて撮影を開始する機能も有している。扉１１、外扉１２の近傍の側壁４ａ、壁４ｃ上の適宜位置には屋内にいる人と通話することのできるインターホン１６、１７が、屋内にインターホン１８が夫々設置されている。
【００１６】
次に、上記二重ドアシステム５の作用について説明する。
来訪者がインターホン１７で来訪を告げると、屋内にいる人が、玄関２から外扉１２のオートロックを外し、外扉１２を開けて閉鎖空間６に入って来た来訪者をテレビカメラ１５により確認し、扉１１を開けて玄関２に招き入れる。
不審者が外扉１２の鍵をこじ開けようとして外扉１２に触れると、タッチセンサーが作動して照明器具１４が点灯すると同時に玄関２のチャイムが鳴る。不審者はこの段階で最初の心理的抑止効果を受けることになり、侵入を中止して逃亡することもある。このとき、屋内に人がいる場合には、その人がテレビカメラ１５で不審者を確認することができる。また、図２に示すように、玄関2内の人Ｇ１が、僅かに扉１１を開けて、鏡１３を覗くことより、外扉１２の近くにいる不審者Ｆ１を確認することもできる。
【００１７】
また、不在時において、不審者は外扉１２の鍵を開けることもできるが、オートロックシステムであるため、開錠に時間がかかる。また、開錠して閉鎖空間６内に侵入することができても、テレビカメラ１５が自動的に作動し、その姿が撮影される。さらに、外扉１２を開いた状態で止める手段を施さなければ、外扉１２は自然に閉まり、オートロックにより施錠されるので、不審者は閉鎖空間６内に閉じ込められる可能性もある。
【００１８】
このような条件下において、扉１１の鍵１１ａをこじ開けることになるが、ここでも開錠には時間を要する。扉１１をこじ開けようとする一連の異常な行為を行っている間中、不審者は、鏡１３に映る自らの姿を見ることになる。これは、不審者にとって非常に大きな心理的圧迫感を受けるものであり、扉１１の開錠を手間取らせることにつながる。
また、この間、不審者は、外扉１２を通して外部から見られる可能性があり、特に、図３に示すように扉１１の前に立ってこじ開けようとしている不審者Ｆ２の姿は、外扉１２を通して外部の領域Ａにいる人から見ることができ、さらに、外扉１２を通して直接には不審者Ｆ２を見ることの出来ない領域Ｂにいる人からも、鏡１３に映る不審者Ｆ２の姿を外扉１２を通して見ることができる。また、テレビカメラ１５により、撮影された不審者の姿が記録として保存される。
【００１９】
さらに、二重ドアシステム５を外部から一瞥しただけで、上述の仕組みが不審者は分かるので、不法侵入しようという気を失わせるという効果を奏する。
本発明の二重ドアシステムによっては、設備コスト以外の運転コスト等は低く抑えられるので、長期的に見れば非常に安いコストで、優れた犯罪防止効果を得ることができる。
さらに、本二重ドアシステムには、外扉１２をメッシュ又は格子構造とした場合には、夏の暑い日など、外扉１２を閉め、扉１１を開けることができるので、建物内の自然通風を促し、クーラ等によることなく、建物内部に涼しい環境を作り出すことができるという効果もある。
【００２０】
なお、本実施形態においては、壁４ｃ、４ｄは床から天井まで蔽う構造としたが、通風等を考慮し、上部、或いは、下部には、人が入り込めない程度の隙間を設けるようにしてもよい。
また、扉１１、外扉１２ともにドアが外側又は内側に開く構造としたが、例えば引き戸としてもよい。さらに、外扉１２の設置位置を壁４ｄとしてもよい。
【００２１】
更に、本実施形態においては、一戸建住宅に適用した場合について説明したが、マンションのような集合建物の一区画、或いは事務所等の入った商業ビル等に適用してもよい。
【図面の簡単な説明】
【００２２】
【図１】本発明に係る二重ドアシステムを適用した住宅の概略図である。
【図２】図１に示す二重ドアシステムにおいて玄関の扉を少し開けただけで、鏡を通して外扉の外側の人を確認できることを示す説明図である。
【図３】図１に示す二重ドアシステムにおいて扉の前の人を、外扉を通して直接又は鏡を介して、外部から確認できることを示す説明図である。
【符号の説明】
【００２３】
１    建物
２    玄関
４    周壁
４ａ、４ｂ（住宅の）側壁
４ｃ、４ｄ  壁
５    二重ドアシステム
６    閉鎖空間
７    住宅の側壁
１１  扉（第１の扉）
１１ａ  施錠部
１２  外扉（第２の扉）
１２ａ  施錠部
１３  鏡
１４  照明器具
１５  モニタテレビカメラ
１６、１７、１８  インターホン
【図１】
2005128641.tif 000003
【図２】
2005128641.tif 000004
【図３】
2005128641.tif 000005